(57)【特許請求の範囲】
【請求項１】
電子装置の手前側を開口して形成された収納部に対し着脱することができる実装部品と、
前記収納部に設けられ、前記収納部の手前側から奥側に向かって傾斜した領域が形成された係合溝を有する突起受入部と、
前記実装部品に設けられ、回転することにより前記係合溝に沿って移動し、回転する方向によって奥側に向かって移動させつつロック実施状態とし、又は、前記実装部品を前記収納部の手前側に向かって移動させつつロック実施状態を解除する突起部を有するキーシリンダと、
を備え、
前記係合溝は、前記ロック実施状態において前記突起部が収納される領域を備え、前記傾斜した領域は、前記収納部の奥側において前記突起部が収納される領域に対して屈曲した状態で連続している電子装置。
【請求項２】
前記収納部は、収納された前記実装部品を手前側に付勢する付勢部材を備える請求項１に記載の電子装置。
【請求項３】
電子装置の手前側を開口して形成された収納部に対し着脱することができる実装部品と、
前記収納部に設けられ、前記収納部の手前側から奥側に向かって傾斜した係合溝を有する突起受入部と、
前記実装部品に設けられ、前記実装部品を前記収納部の奥側に向かって押し込む動作に伴って出没することにより前記係合溝に係合してロック実施状態とすると共に、回転することにより前記係合溝に沿って移動し、前記実装部品を前記収納部の手前側に向かって移動させつつ、ロック実施状態を解除する突起部を有するキーシリンダと、
を備える電子装置。
【請求項４】
前記突起部は、前記キーシリンダ内に出没自在に設けられ、前記実装部品を前記収納部の奥側に向かって押し込む際に、前記係合溝の手前側に位置する前縁部に接触することで、前記キーシリンダの内側に移動し、前記前縁部を乗り越えた後に前記係合溝内に飛び出して前記係合溝と係合する請求項３に記載の電子装置。
【請求項５】
前記突起部は、前記実装部品を前記収納部の奥側に向かって押し込む際に、前記前縁部に当接するテーパ面を有する請求項４に記載の電子装置。
【請求項６】
前記突起部は、前記キーシリンダが有する揺動部に設けられ、前記実装部品を前記収納部の奥側に向かって押し込む際に、前記係合溝の手前側に位置する前縁部に接触することで、手前側に押し上げられて前記前縁部に乗り上げ、前記前縁部を乗り越えた後に元の位置に復帰して前記係合溝と係合する請求項３に記載の電子装置。
【発明の詳細な説明】
【技術分野】
【０００１】
本発明は、電子装置に関する。
【背景技術】
【０００２】
昨今、データの大容量化、データのバックアップの必要性から、電子装置から取り外し可能なＨＤＤ（Hard Disk Drive）の需要が高まってきている。ＨＤＤを電子装置に対して取り外し可能とする場合に、適用できる技術として、スライド動作する２つの部材を有し、一方の部材に孔部を形成し、他方の部材に前記孔部に嵌入可能な嵌入体及び当該嵌入体を付勢する付勢部材を収納する収納部を備えた技術が知られている（例えば、特許文献１参照）。
【先行技術文献】
【特許文献】
【０００３】
【特許文献１】実開昭６２−１９９９８５号公報
【発明の概要】
【発明が解決しようとする課題】
【０００４】
ところで、ＨＤＤを電子装置に取り付けた場合、ＨＤＤが備えるインターフェースコネクタを電子装置側のコネクタに接続する。インターフェースコネクタの接続には強い嵌合力が必要である。このため、ＨＤＤの適切な着脱動作に困難を伴うことがあった。また、ＨＤＤを電子装置に対して取り外し可能とする場合には、盗難防止の観点から鍵付きの機構とすることが望ましい。しかしながら、上述の技術は、ＨＤＤの位置決めをすることはできるが、電子装置からのＨＤＤの取り外しを規制することは想定していない。また、ＨＤＤを電子装置に対し容易に着脱する点において改良の余地があった。
【０００５】
１つの側面では、本明細書開示の電子装置は、実装部品の取り外しを規制することができる電子装置において、実装部品の取り付けと取り外しを簡単な操作で行うことを課題とする。
【課題を解決するための手段】
【０００６】
本明細書開示の電子装置は、電子装置の手前側を開口して形成された収納部に対し着脱することができる実装部品と、前記収納部に設けられ、前記収納部の手前側から奥側に向かって傾斜した領域が形成された係合溝を有する突起受入部と、前記実装部品に設けられ、回転することにより前記係合溝に沿って移動し、回転する方向によって奥側に向かって移動させつつロック実施状態とし、又は、前記実装部品を前記収納部の手前側に向かって移動させつつロック実施状態を解除する突起部を有するキーシリンダと、を備え、前記係合溝は、前記ロック実施状態において前記突起部が収納される領域を備え、前記傾斜した領域は、前記収納部の奥側において前記突起部が収納される領域に対して屈曲した状態で連続している。
【０００７】
また、本明細書開示の他の電子装置は、電子装置の手前側を開口して形成された収納部に対し着脱することができる実装部品と、前記収納部に設けられ、前記収納部の手前側から奥側に向かって傾斜した係合溝を有する突起受入部と、前記実装部品に設けられ、前記実装部品を前記収納部の奥側に向かって押し込む動作に伴って出没することにより前記係合溝に係合してロック実施状態とすると共に、回転することにより前記係合溝に沿って移動し、前記実装部品を前記収納部の手前側に向かって移動させつつ、ロック実施状態を解除する突起部を有するキーシリンダと、を備える。
【発明の効果】
【０００８】
本明細書開示の電子装置によれば、実装部品の取り外しを規制することができる電子装置において、実装部品の取り付けと取り外しを簡単な操作で行うことができる。 
【図面の簡単な説明】
【０００９】
【図１】図１は第１実施形態のＰＣを示す斜視図である。
【図２】図２は第１実施形態のＰＣが備えるＨＤＤベースユニットの斜視図である。
【図３】図３（Ａ）は第１実施形態のＰＣが備えるＨＤＤベースユニットの正面図であり、図３（Ｂ）は第１実施形態のＰＣが備えるＨＤＤベースユニットの底面図である。
【図４】図４は突起受入部に設けられた係合溝の説明図である。
【図５】図５は第１実施形態のＰＣが備えるＨＤＤユニットを底面側からみた斜視図である。
【図６】図６（Ａ）は第１実施形態のＰＣが備えるＨＤＤユニットの正面図であり、図６（Ｂ）は第１実施形態のＰＣが備えるＨＤＤユニットの底面図である。
【図７】図７は第１実施形態のＨＤＤユニットのフロントパネルを示す説明図である。
【図８】図８は第１実施形態のＰＣが備えるキーシリンダの斜視図である。
【図９】図９（Ａ）〜（Ｆ）は第１実施形態のＰＣが備えるキーシリンダの６面図である。
【図１０】図１０はキー本体の斜視図である。
【図１１】図１１（Ａ）〜（Ｆ）はキー本体の６面図である。
【図１２】図１２（Ａ−１）〜（Ｃ−２）はＨＤＤユニットをＰＣに装着する様子を示す工程図である。
【図１３】図１３は（Ａ−１）〜（Ｃ−２）はＨＤＤユニットをＰＣから取り外す様子を示す工程図である。
【図１４】図１４は第２実施形態のＰＣが備えるキーシリンダの斜視図である。
【図１５】図１５（Ａ）〜（Ｆ）は第２実施形態のＰＣが備えるキーシリンダの６面図である。
【図１６】図１６（Ａ）〜（Ｃ）は第２実施形態のＨＤＤユニットをＰＣに装着する様子を示す説明図である。
【図１７】図１７は第３実施形態のＰＣが備えるキーシリンダの斜視図である。
【図１８】図１８（Ａ）〜（Ｆ）は第３実施形態のＰＣが備えるキーシリンダの６面図である。
【図１９】図１９は（Ａ）〜（Ｄ）は第３実施形態のＨＤＤユニットをＰＣに装着する様子を示す説明図である。
【図２０】図２０はバネ部材の一例を示す説明図である。
【発明を実施するための形態】
【００１０】
以下、本発明の実施形態について、添付図面を参照しつつ説明する。ただし、図面中、各部の寸法、比率等は、実際のものと完全に一致するようには図示されていない場合がある。また、図面によっては、説明の都合上、実際には存在する構成要素が省略されていたり、寸法が実際よりも誇張されて描かれていたりする場合がある。
【００１１】
（第１実施形態）
図１乃至図１１を参照しつつ、第１実施形態のパーソナルコンピュータ（Personal Computer、以下、ＰＣという）１について説明する。ＰＣ１は、ＰＣの一例に相当する。図１は第１実施形態のＰＣ１を示す斜視図である。図２は第１実施形態のＰＣ１が備えるＨＤＤベースユニット２の斜視図である。図３（Ａ）は第１実施形態のＰＣ１が備えるＨＤＤベースユニット２の正面図であり、図３（Ｂ）は第１実施形態のＰＣ１が備えるＨＤＤベースユニット２の底面図である。図４は突起受入部３に設けられた係合溝４の説明図である。図５は第１実施形態のＰＣ１が備えるＨＤＤユニット１２を底面側からみた斜視図である。図６（Ａ）は第１実施形態のＰＣ１が備えるＨＤＤユニット１２の正面図であり、図６（Ｂ）は第１実施形態のＰＣ１が備えるＨＤＤユニット１２の底面図である。図７は第１実施形態のＨＤＤユニット１２のフロントパネル１１０ａを示す説明図である。図８は第１実施形態のＰＣ１が備えるキーシリンダ２０の斜視図である。図９（Ａ）〜（Ｆ）は第１実施形態のＰＣ１が備えるキーシリンダ２０の６面図である。図１０はキー本体３０の斜視図である。図１１（Ａ）〜（Ｆ）はキー本体３０の６面図である。なお、以下の説明において、ＰＣ１及びＨＤＤユニット１２の手前側及び奥側を図１に示すように設定する。
【００１２】
ＰＣ１は、電子装置の一例に相当し、図５、図６に示すＨＤＤユニット１２を着脱することができるようになっている。ＰＣ１は、手前側を開口して形成された収納部２ａを備える。具体的に、ＰＣ１には、図２、図３に示すような手前側が開口したＨＤＤベースユニット２が設けられている。本実施形態では、２台のＨＤＤベースユニット２が設けられており、２台のＨＤＤユニット１２が着脱できるようになっている。図１は、一台のＨＤＤユニット１２をＰＣ１から取り外し、他の一台のＨＤＤユニット１２をＰＣ１に装着した状態を示している。ＨＤＤユニット１２は、実装部品の一例である。ＰＣ１は、装着したＨＤＤユニット１２をロックする機構を備える。第１実施形態のＰＣ１では、ＨＤＤユニット１２のロックの実施及び解除の双方に後に詳述するキー本体３０を用いる形態となっている。
【００１３】
図２、図３を参照すると、収納部２ａは、手前側が開口した筐体により形成されている。収納部２ａは、底板２ａ１の手前側端部に突起受入部３を備えている。突起受入部３には、後に詳説するキーシリンダ２０が備える突起部２１ａが係合する。突起部２１ａが突起部受入部３に係合することにより、ＨＤＤユニット１２がＰＣ１に装着され、ロックが実施された状態となる。突起部受入部３には、底板２ａ１に近い位置に配置された底部３ａと底部３ａから底上げされた形状となっているブリッジ部３ｂとが含まれている。そして、突起受入部３には、突起部２１ａが係合することとなる係合溝４が設けられている。係合溝４は、収納部２ａ、すなわち、ＨＤＤベースユニット２の手前側から奥側に向かって傾斜している。この係合溝４の形状について、図４を参照しつつ説明する。図４は、ＨＤＤベースユニット２の底面図に現れる状態の係合溝４を示している。係合溝４は、第１辺４ａ〜第６辺４ｆまでを備えた形状を有する。第１辺４ａと第３辺４ｃとはともに手前側から奥側に向かって傾斜している。第１辺４ａと第３辺４ｃとは平行になっている。第１辺４ａに連続する第２辺４ｂが位置する側が、回転する突起部２１ａを迎え入れる側となる。第２辺４ｂは、ブリッジ部３ｂ上に位置している。第２辺４ｂは、手前側から奥側に向かう方向に沿って延びている。一方、第２辺４ｂに対して平行に配置された第５辺４ｅが位置する側が、ロック実施状態のときに突起部２１ａが位置する側となる。具体的には、第５辺４ｅと連続する第４辺４ｄと第６辺４ｆとの囲まれた領域に突起部２１ａが収容されることにより、ＨＤＤユニット１２が収納部２ａ内にロックされた状態となる。第４辺４ｄ、第５辺４ｅ及び第６辺４ｆは、底部３ａに位置している。係合溝４内の突起部２１ａの動きと、ＨＤＤユニット１２の動作との関係については、後に詳述する。
【００１４】
収納部２ａの最奥部には、板バネ状の押出部５が設けられている。押出部５には、収納されたＨＤＤユニット１２に後端部が当接する。ＨＤＤユニット１２は、押出部５により、手前側に付勢される。押出部５は、収納されたＨＤＤユニットを手前側に付勢する付勢部材の一例である。なお、ＨＤＤベースユニット２の奥側には、ＨＤＤユニット１２が備えるインターフェースコネクタの受け入れ側が設けられている。
【００１５】
図５、図６を参照すると、ＨＤＤユニット１２は、ＨＤＤ本体１０がＨＤＤトレイ１１に載置され、両者が一体となった形態となっている。ＨＤＤトレイ１１の手前側には、キーシリンダ収納部１１０が形成されている。キーシリンダ収納部１１０は、フロントパネル１１０ａと仕切り板１１０ｂとによって囲まれた空間として形成されている。このようなキーシリンダ収納部１１０内には、後に詳述するキーシリンダ２０が収納され、設置されている。図７を参照すると、フロントパネル１１０ａには、後に詳述するキー本体３０が備える頭部３２及び首部３３が差し込まれる差込孔１１０ａ１が設けられている。差込孔１１０ａ１の縦寸法Ｌ及び幅寸法Ｗは、頭部３２及び首部３３が通過できるように設定されている。
【００１６】
図８、図９（Ａ）〜（Ｆ）を参照すると、キーシリンダ２０は、円盤状の本体部２１の下端部に突起部２１ａを備える。また、本体部２１の一面側に軸部２２を備える。軸部２２には、周状に取付溝２２ａが設けられている。取付溝２２ａは、キーシリンダ収納部１１０を形成する仕切り板１１０ｂに回転可能に支持される。本体部２１の他面側には、差込溝２３ａが設けられた差込部２３が形成されている。差込溝２３ａにはキー本体３０が備える頭部３２が差し込まれる。軸部２２を仕切り板１１０ｂによって支持されたキーシリンダ２０は、差込溝２３ａにキー本体３０の頭部３２を差し込み、キー本体３０を回転させることにより、回転することができる。キーシリンダ２０が回転すると、これに伴って突起部２１ａが回転し、突起部２１ａは、係合溝４に対して出没する。ここで、キーシリンダ２０の回転動作に伴う突起部２１ａの動きについて説明する。キーシリンダ２０は、フロントパネル１１０ａを手前側からみたときに、時計回りに回転することによりロック実施状態となり、反時計回りに回転することによりロック解除状態となる。
【００１７】
キーシリンダ２０が時計回りに回転するとき、突起部２１ａは、概ね３時の位置から６時の位置に移動する。ロック実施状態とする際、突起部２１ａは、突起受入部３のブリッジ部３ｂから係合溝４に係合し始める。そして、さらに時計方向に回転する突起部２１ａは、第１辺４ａに接触しつつ、第５辺４ｅ側に向かって移動する。これにより、突起部２１ａを備えるキーシリンダ２０が設けられているＨＤＤユニット１２は、相対的に収納部２ａの奥側に向かって進み、最終的に第４辺４ｄ、第５辺４ｅ及び第６辺４ｆに囲まれた領域に収容されてロック実施状態となる。
【００１８】
これとは逆に、キーシリンダ２０が反時計回りに回転するとき、突起部２１ａは、概ね６時の位置から３時の位置に移動する。ロック解除状態とする際、突起部２１ａは、第４辺４ｄ、第５辺４ｅ及び第６辺４ｆに囲まれた領域か出発し、第３辺４ｃに接触しつつ、第１辺４ａ側に向かって移動する。そして、最終的に、突起部２１ａと係合溝４との係合が解かれ、ロックが解除された状態となる。この際、突起部２１ａが第３辺４ｃに接触しながら移動することにより、突起部２１ａを備えるキーシリンダ２０が設けられているＨＤＤユニット１２は、相対的に収納部２ａの手前側に向かって進み、収納部２ａが飛び出た状態となる。ＨＤＤユニット１２は、押出部５によって手前側に付勢されているため、スムーズに手前側に押し出され、ＰＣ１から取り外すことができる。
【００１９】
つぎに、図１０、図１１を参照しつつ、キー本体３０について説明する。キー本体３０は、キーシリンダ２０を回転させ、ＨＤＤユニット１２のＰＣ１へのロックの実施及び解除を行う。すなわち、ＨＤＤユニット１２をＰＣから取り外すときは、キー本体３０が必要となる。このように、ＨＤＤユニット１２の取り外しを規制することができるため、ＨＤＤユニット１２の盗難防止対策となる。キー本体３０は、首部３３を介して設けられた頭部３２を備える。頭部３２は、差込孔１１０ａを通じてキーシリンダ収納部１１０内に差し込まれ、さらに、キーシリンダ２０の差込部２３に形成された差込溝２３ａに差し込まれる。キー本体３０は、キーシリンダ２０を回転させないときは、取り外し、別途管理される。
【００２０】
つぎに、このようなＰＣ１におけるＨＤＤユニット１２の装着及び取り外しの様子について説明する。まず、図１２（Ａ−１）〜（Ｃ−２）を参照してＨＤＤユニット１２をＰＣ１に装着する様子について説明する。ＨＤＤユニット１２をＰＣ１に装着するときは、まず、ＨＤＤユニット１２の後端部が押出部５に接触する位置までＨＤＤユニット１２をＨＤＤベースユニット２内に差し込む。そして、図１２（Ａ−１）、（Ａ−２）に示すようにキー本体３０の頭部３２を差込孔２３ａに差し込み、キー本体３０を回転させる。すると、突起部２１ａが突起受入部３のブリッジ部３ｂ側から係合溝４に入り込む。回転開始当初の突起部２１ａは、底板２ａ１から離れた位置にあるが、底上げされたブリッジ部３ｂが設けられていることにより、係合溝４との係合を開始することができる。なお、キー本体３０は、フロントパネル１１０ａを手前側からみたときに、時計回りに回転させる。
【００２１】
図１２（Ｂ−１）、（Ｂ−２）に示すように、キー本体３０をさらに時計回りに回転させると、突起部２１ａは、図４に示す係合溝４の第１辺４ａに沿って移動する。この第１辺４ａは、手前側から奥側に向かって傾斜しているため、突起部２１ａが第１辺４ａに沿って移動することにより、ＨＤＤユニット１２は、ＨＤＤベースユニット２の奥側に向かって移動する。
【００２２】
そして、図１２（Ｃ−１）、（Ｃ−２）に示すように、最終的に、突起部２１ａが第４辺４ｄ、第５辺４ｅ及び第６辺４ｆに囲まれた領域に到達すると、ＨＤＤユニット１２も奥まで押し込まれた状態となり、ロック実施状態となる。このとき、ＨＤＤベースユニット２の奥まで押し込まれたＨＤＤユニット１２が備えるインターフェースコネクタは結合状態となる。
【００２３】
つぎに、図１３（Ａ−１）〜（Ｃ−２）を参照してＨＤＤユニット１２をＰＣ１から取り外す様子について説明する。ＨＤＤユニット１２をＰＣ１から取り外すときは、まず、図１３（Ａ−１）、（Ａ−２）に示すように、キー本体３０を、フロントパネル１１０ａを手前側からみて反時計回りに回転する。すると、図１３（Ｂ−１）、（Ｂ−２）に示すように、突起部２１ａが係合溝４に沿って移動する。このとき、突起部２１ａは、図４に示す係合溝４の第３辺４ｃに沿って移動する。この第３辺４ｃは、手前側から奥側に向かって傾斜しているため、突起部２１ａが第３辺４ｃに沿って移動することにより、ＨＤＤユニット１２は、ＨＤＤベースユニット２の手前側に向かって移動する。
【００２４】
そして、最終的に、ＨＤＤユニット１２は、図１３（Ｃ−１）、（Ｃ−２）に示すように、ＨＤＤベースユニット２から飛び出した状態となり、引き抜き可能な状態となる。なお、係合溝４は、底上げされたブリッジ部３ｂまで連続して設けられていることにより、回転しながら上方に移動する突起部２１ａを案内し、ＨＤＤユニット１２を手前側に移動させることができる。
【００２５】
以上説明したように、第１実施形態のＰＣ１によれば、キー本体３０を回転させるだけで、ＨＤＤユニット１２の取り付けと取り外しを行うことができる。しかも、キー本体３０の操作により、ＨＤＤユニット１２のＰＣ１からの取り外しを規制するロック状態とすることができる。
【００２６】
（第２実施形態）
つぎに、図１４乃至図１６（Ｃ）を参照しつつ、第２実施形態について説明する。図１４は第２実施形態のＰＣ１が備えるキーシリンダ１２０の斜視図である。図１５（Ａ）〜（Ｆ）は第２実施形態のＰＣ１が備えるキーシリンダ１２０の６面図である。図１６（Ａ）〜（Ｃ）は第２実施形態のＨＤＤユニット１２をＰＣ１に装着する様子を示す説明図である。第２実施形態は、第１実施形態と以下の点で異なる。すなわち、第２実施形態は、第１実施形態のキーシリンダ２０に代えて、キーシリンダ１２０を備える。他の構成要素は、第１実施形態と異なるところがないので、共通する構成要素については、図面中、共通の参照番号を付して、その詳細な説明は省略する。
【００２７】
図１４、図１５（Ａ）〜（Ｆ）を参照すると、キーシリンダ１２０は、本体部１２１を備える。本体部１２１には、空洞が設けられており。この空洞内にバネ部材１２１ｂが収納されると共に、このバネ部材１２１ｂによって出没可能とされた突起部１２１ａが設けられている。突起部１２１ａは、ＨＤＤユニット１２を収納部２ａの奥側に向かって押し込む動作に伴って本体部１２１に対して出没する。すなわち、本体部１２１から飛び出た状態となることにより係合溝４に係合してロック実施状態となることができる。また、突起部１２１ａは、バネ部材１２１ｂを押し縮めながら本体部１２１内に入り込むことにより、係合溝４の手前側に位置する前縁部２ａ１１を乗り越えることができる。このように、第２実施形態では、ＨＤＤユニット１２をＰＣ１に取り付け、ロック状態とするときに、キー本体３０は不要である。すなわち、ＨＤＤユニット１２を押し込むだけで、ＨＤＤユニット１２をロック状態とすることができる。
【００２８】
一方、ＨＤＤユニット１２のロック状態を解除するときは、第１実施形態と同様にキー本体３０を用いてキーシリンダ１２０を回転させる。キーシリンダ１２０は、取付溝１２２ａが形成された軸部１２２を備える。キーシリンダ１２０は、取付溝１２２ａを仕切り板１１０ｂに係合することにより、シリンダ収納部１１０に取り付けられる。キーシリンダ１２０は、軸部１２２と反対側に差込部１２３を備えている。差込部１２３には、キー本体３０が備える頭部３２が差し込まれる差込溝１２３ａが形成されている。差込溝１２３ａに頭部３２を差し込み、キーシリンダ１２０を回転させることにより突起部１２１ａを係合溝４に沿って移動させ、ＨＤＤユニット１２を収納部２ａの手前側に向かって移動させつつ、ロック実施状態を解除する。このように、ロック状態を解除するためには、キー本体３０が必要であるので、第１実施形態と同様に盗難防止効果を有する。
【００２９】
突起部１２１ａは、上述のように、キーシリンダ１２０の本体部１２１内に出没自在に設けられている。そして、ＨＤＤユニット１２を収納部２ａの奥側に向かって押し込む際に、突起部１２１ａは、係合溝４の手前側に位置する前縁部２ａ１１に接触することで、キーシリンダ１２０の本体部１２１の内側に移動する。その後、突起部１２１ａは、前縁部２ａ１１を乗り越えた後に係合溝４内に飛び出して係合溝４と係合する。このように、突起部１２１ａは、前縁部２ａ１１に接触することで、押し上げられる。そこで、突起部１２１ａは、この押し上げ動作がスムーズに行われるように、ＨＤＤユニット１２を収納部２ａの奥側に向かって押し込む際に、前縁部２ａ１１に当接するテーパ面１２１ａ１を有している。これにより、ＨＤＤユニット１２が奥側に進むにつれて、突起部１２１ａが徐々に押し上げられ、前縁部２ａ１１に乗り上げることができる。なお、突起部１２１ａは、突起受入部３の底部３ｂを通過するようになっている。
【００３０】
このような第２実施形態のＨＤＤユニット１２がＰＣ１の収納部に取り付けられる様子につき、図１６（Ａ）〜（Ｃ）を参照しつつ説明する。まず、図１６（Ａ）に示すように、ＨＤＤユニット１２を収納部２ａ内へ押し込む。この時、突起部１２１ａは、バネ部材１２１ｂに付勢されてキーシリンダ１２０の本体部１２１から飛び出した状態となっている。本体部１２１から飛び出した状態の突起部１２１ａのテーパ面１２１ａ１が前縁部２ａ１１に当接した状態でＨＤＤユニット１２が収納部２ａの奥側に押し込められると、突起部１２１ａは上方に退避する。退避した突起部１２１は、図１６（Ｂ）に示すように、そのまま前縁部２ａ１１に乗り上げる。そして、図１６（Ｃ）に示すように突起部１２１ａの先端部が係合溝４に到達すると、バネ部材１２１ｂに付勢された突起部１２１ａは、係合溝４内へ向かって飛び出し、ロック状態となる。なお、ロック状態を解除するときの操作は、第１実施形態の場合と同様であるので、その詳細な説明は省略する。
【００３１】
このように、第２実施形態によれば、キー本体３０を用いることなく、ＨＤＤユニット１２を押し込む動作だけで、ＨＤＤユニット１２をＰＣ１に取り付け、ロック状態とすることができる。
【００３２】
（第３実施形態）
つぎに、図１７乃至図２０を参照しつつ、第３実施形態について説明する。図１７は第３実施形態のＰＣ１が備えるキーシリンダ２２０の斜視図である。図１８（Ａ）〜（Ｆ）は第２実施形態のＰＣ１が備えるキーシリンダ２２０の６面図である。図１９（Ａ）〜（Ｄ）は第３実施形態のＨＤＤユニット１２をＰＣ１に装着する様子を示す説明図である。第３実施形態は、第１実施形態と以下の点で異なる。すなわち、第３実施形態は、第１実施形態のキーシリンダ２０に代えて、キーシリンダ２２０を備える。他の構成要素は、第１実施形態と異なるところがないので、共通する構成要素については、図面中、共通の参照番号を付して、その詳細な説明は省略する。
【００３３】
図１７、図１８（Ａ）〜（Ｆ）を参照すると、キーシリンダ２２０は、軸部２２２に軸部材ＡＸによって揺動可能に取り付けられた揺動部２２１を備える。揺動部２２１の下端には、突起部２２１ａが設けられている。突起部２２１ａには、テーパ面２２１ａ１が形成されている。突起部２２１ａが形成された揺動部２２１は、ＨＤＤユニット１２を収納部２ａの奥側に向かって押し込む動作に伴って、軸部材ＡＸを支点として揺動する。突起部２２１ａが鉛直方向下向きに位置することにより係合溝４に係合してロック実施状態となることができる。また、突起部２２１ａは、揺動部２２１が軸部材ＡＸを支点として跳ね上げられることにより、係合溝４の手前側に位置する前縁部２ａ１１を乗り越えることができる。このように、第３実施形態では、ＨＤＤユニット１２をＰＣ１に取り付け、ロック状態とするときに、キー本体３０は不要である。すなわち、ＨＤＤユニット１２を押し込むだけで、ＨＤＤユニット１２をロック状態とすることができる。
【００３４】
一方、ＨＤＤユニット１２のロック状態を解除するときは、第１実施形態と同様にキー本体３０を用いてキーシリンダ２２０を回転させる。キーシリンダ２２０は、軸部２２２を仕切り板１１０ｂに係合することにより、シリンダ収納部１１０に取り付けられる。キーシリンダ２２０は、揺動部２２１に差込部２２３を備えている。差込部２２３には、キー本体３０が備える頭部３２が差し込まれる差込溝２２３ａが形成されている。差込溝２２３ａに頭部３２を差し込み、キーシリンダ２２０を回転させることにより突起部２２１ａを係合溝４に沿って移動させ、ＨＤＤユニット１２を収納部２ａの手前側に向かって移動させつつ、ロック実施状態を解除する。このように、ロック状態を解除するためには、キー本体３０が必要であるので、第１実施形態と同様に盗難防止効果を有する。
【００３５】
このような第３実施形態のＨＤＤユニット１２がＰＣ１の収納部に取り付けられる様子につき、図１９（Ａ）〜（Ｄ）を参照しつつ説明する。まず、図１９（Ａ）に示すように、ＨＤＤユニット１２を収納部２ａ内へ押し込む。この押し込み動作の初期において、揺動部２２１には、何らの力も作用しておらず、突起部２２１ａは鉛直方向下向きに延び状態となっている。そして、図１９（Ｂ）に示すようにＨＤＤユニット１２をさらに収納部２ａの奥側に押し込むと、突起部２２１ａが前縁部２ａ１１に当接する。これにより、揺動部２２１は、軸部材ＡＸを支点として跳ね上げられる。揺動部２２１が跳ね上げられると、図１９（Ｃ）に示すように突起部２２１ａは、前縁部２ａ１１を乗り越えることができる。そして、図１９（Ｄ）に示すように、突起部２２１の先端部が係合溝４に到達すると、揺動部２２１が図１９（Ｄ）中、反時計回りに回転し、元の位置に復帰する。これにより、突起部２２１が係合溝４と係合してロック状態となる。ロック状態を解除するときの操作は、第１実施形態の場合と同様であるので、その詳細な説明は省略する。なお、突起部２２１ａは、突起受入部３の底部３ｂを通過するようになっている。
【００３６】
このように、第３実施形態によれば、第２実施形態と同様に、キー本体３０を用いることなく、ＨＤＤユニット１２を押し込む動作だけで、ＨＤＤユニット１２をＰＣ１に取り付け、ロック状態とすることができる。
【００３７】
なお、上述の第３実施形態では、揺動部２２１は、その重心位置によって自然に元の位置に復帰するようになっているが、図２０に示すバネ部材２４０を組み込んでもよい。バネ部材２４０は、突起部２２１ａが前縁部２ａ１１を乗り越えるときに圧縮状態となり、突起部２２１ａの先端部が係合溝４に到達すると、圧縮状態が解放されて揺動部２２１を元の位置に復帰させる。
【００３８】
以上本発明の好ましい実施形態について詳述したが、本発明は係る特定の実施形態に限定されるものではなく、特許請求の範囲に記載された本発明の要旨の範囲内において、種々の変形、変更が可能である。
【符号の説明】
【００３９】
１  パーソナルコンピュータ（ＰＣ）
２  ＨＤＤベースユニット
２ａ  収納部
２ａ１  底板
２ａ１１  前縁部
３  突起受入部
４  係合溝
５  押出部
１２  ＨＤＤユニット
１１０  シリンダ収納部
１１０ａ  フロントパネル
１１０ａ１  差込孔
１１０ｂ  仕切り板
２０、１２０、２２０  キーシリンダ
２１ａ、１２１ａ、２２１ａ  突起部
３０  キー本体
１２１ａ１  テーパ面
１２１ｂ  バネ部材
ＡＸ  支持軸材
【図１】
0006365157.tif 000002
【図２】
0006365157.tif 000003
【図３】
0006365157.tif 000004
【図４】
0006365157.tif 000005
【図５】
0006365157.tif 000006
【図６】
0006365157.tif 000007
【図７】
0006365157.tif 000008
【図８】
0006365157.tif 000009
【図９】
0006365157.tif 000010
【図１０】
0006365157.tif 000011
【図１１】
0006365157.tif 000012
【図１２】
0006365157.tif 000013
【図１３】
0006365157.tif 000014
【図１４】
0006365157.tif 000015
【図１５】
0006365157.tif 000016
【図１６】
0006365157.tif 000017
【図１７】
0006365157.tif 000018
【図１８】
0006365157.tif 000019
【図１９】
0006365157.tif 000020
【図２０】
0006365157.tif 000021